(57)【要約】【課題】  特に自動車のための空調設備を改良する。【解決手段】  空調コンプレッサ、ガスクーラーおよびレシーバと、所定の圧力を上回った場合に破砕によって冷却剤を周囲へ放出して、それによって危機的な圧力超過を防止する、バーストディスク装置とを有する空調設備、特に自動車のための空調設備において、バーストディスク装置を、付加的に、遠隔制御可能な装置によって破砕させることができることを特徴とする空調設備。
2005530650.tif 000002
【特許請求の範囲】
【請求項１】
空調コンプレッサ、ガスクーラーおよびレシーバと、所定の圧力を上回った場合に破砕によって冷却剤を周囲へ放出して、それによって危機的な圧力超過を防止する、バーストディスク装置とを有する空調設備、特に自動車のための空調設備において、
バーストディスク装置を、付加的に、遠隔制御可能な装置によって破砕させることができることを特徴とする空調設備。
【請求項２】
遠隔制御可能な破砕が、電気的に作動可能であることを特徴とする、特に請求項１に記載の、空調設備。
【請求項３】
遠隔制御可能な破砕が、バーストディスクの大気側に設けられた発熱ワイヤによって可能にされ、前記発熱ワイヤがバーストディスクの金属箔を焼き切ることを特徴とする、特に請求項１または２に記載の、空調設備。
【請求項４】
遠隔操作可能な破砕のための電気信号が、電子的な制御装置によって発生されることを特徴とする、特に請求項１から３のいずれか１項に記載の、空調設備。
【請求項５】
電子的な制御装置のための入力信号が、自動車の室内の漏れを検出することのできるガスセンサによって、および／または圧力降下を検出する圧力センサによって、および／または充填量の降下を記録する充填量監視によって、および／またはたとえば事故の場合の、エアバッグ作動によって、発生させることができることを特徴とする、特に請求項１から４のいずれか１項に記載の、空調設備。
【請求項６】
バーストディスクが、空調コンプレッサに取り付けられており、その場合に空調コンプレッサにおける圧力制限の機能も得られることを特徴とする、特に請求項１から５のいずれか１項に記載の、空調設備。
【請求項７】
バーストディスクが意図的に冷却剤を周囲へ放出し、それによって自動車の室内の冷却剤の危機的な濃度が防止されることを特徴とする、特に請求項１から６のいずれか１項に記載の、空調設備。
【請求項８】
空調コンプレッサ、ガスクーラーおよびレシーバと、所定の圧力を上回った場合に破砕によって冷却剤を周囲へ放出して、それによって危機的な圧力超過を回避する、バーストディスク装置とを有する空調設備、特に自動車のための空調設備において、
出願書類に開示された少なくとも１つの発明的な特徴を特徴とする、空調設備。
【発明の詳細な説明】
【技術分野】
【０００１】
本発明は、空調コンプレッサ、ガスクーラーおよびレシーバと、空調設備の循環に属する他の既知の部材とを有する空調設備、特に自動車のための空調設備に関する。空調設備は、さらに、バーストディスク装置を有しており、そのバーストディスク装置は所定の圧力を上回った場合に破砕することによって冷却剤を周囲へ放出し、それによって圧力が臨界的な限界を越えてさらに上昇することを阻止する。
【背景技術】
【０００２】
たとえばＣＯ２のような、健康を害する冷却剤によって作動する空調設備は、漏れた場合には許容できないほど高い冷却剤濃度を車両室内に発生させる危険を内蔵している。特にこれは、設備の冷却剤の全量が多く、設備が空になった場合には室内で臨界的な濃度を上回る場合に、問題となる。しかし、設備内の冷却剤量を制限することは、技術的には有意義ではない。というのは、それによって機能が損なわれてしまうからである。
【発明の開示】
【発明が解決しようとする課題】
【０００３】
本発明の課題は、この欠点を持たない空調設備を提供することである。
【課題を解決するための手段】
【０００４】
この課題は、空調コンプレッサ、ガスクーラー、レシーバおよび場合によっては他の部材と、所定の圧力を上回った場合に破砕によって冷却剤を周囲へ放出し、それによって臨界的な圧力を上回ることを阻止する、バーストディスク装置とを有し、その場合にバーストディスクの破砕が付加的に、遠隔制御可能な装置によって作動可能である空調設備、特に自動車のための空調設備によって解決される。遠隔制御可能な破砕が、電気的に作動可能であるような空調設備が効果的である。
【発明の実施の形態】
【０００５】
本発明に基づく空調設備は、バーストディスクの大気側に、バーストディスク金属箔の焼き切りを可能にする、発熱ワイヤが取り付けられていることを、特徴としている。バーストディスクを遠隔制御可能に破砕させる電気信号が、電子的な制御装置によって準備されるような空調設備が効果的である。
【０００６】
本発明に基づく空調設備は、電子的な制御装置のための入力信号が、室内の可能な漏れを検出するガスセンサによって、および／または圧力降下の場合に該当する信号を生成する圧力センサによって、および／または臨界的な充填状態を下回った場合に信号を生成する充填監視装置によって、および／または、たとえば事故の場合の、エアバッグ作動の信号によって、生成されることを特徴としている。
【０００７】
バーストディスクが空調コンプレッサに取り付けられており、それによって空調設備における圧力制限機能も得られるような、空調設備も効果的である。さらに、バーストディスクが冷却剤を意図的に周囲へ放出するので、自動車の室内の冷却剤の危機的な濃度が回避されるような、空調設備が効果的である。
【実施例】
【０００８】
本発明を、図面を用いて説明する。
【０００９】
図１は、本発明に基づくバーストディスク装置を断面で示している。空調設備の導管部分１内に、バーストディスク３が取り付けられており、そのバーストディスクはたとえばバーストディスクのために一般的な金属箔からなり、その金属箔は空調設備の領域９内で臨界的な圧力を上回った場合に破砕して、その場合に冷却剤を大気の領域７内へ流出させる。本発明によれば、バーストディスク３の大気側７に発熱ワイヤ装置５が設けられており、その発熱ワイヤ装置は通電された場合にバーストディスクを加熱して、それによって焼き切る。従って電気信号によって同様にバーストディスクの破砕とそれに伴って設備領域９から大気領域７への冷却材の流出が可能である。
【００１０】
図２には、発熱ワイヤに通電するための信号を発生させる、該当する制御装置が示されている。発熱ワイヤ５を有するバーストディスク３は、電気的な導線１１を介して電気的な制御装置１３と接続されており、その制御装置は該当する作動場合において、発熱ワイヤ通電のための電流を発生させる。電子な制御装置は、バーストディスクの遠隔制御される電気的破砕を発生させるために、種々の信号を評価する。可能な信号は、車両室内のセンサのセンサ信号であって、そのセンサは車両室内の該当する冷却剤濃度を監視して、臨界的な濃度を上回った場合に信号１５を制御装置へ送信する。他の可能性は、車両のエアバッグ作動からの信号１７を評価することであるので、事故の場合にはいずれにしてもバーストディスク装置が破壊されて、それによって冷却剤が大気へ流出し、事故にあった車両の室内へ進入することはない。他の信号１９は、充填剤監視によって発生させることができ、その充填剤監視は空調設備内の充填剤状態を監視して、臨界的な値を下回った場合に該当する信号を電子的な制御装置へ送信する。同様に、圧力センサに基づく信号２１も可能であって、その圧力センサは空調設備内の圧力を監視して、危機的な圧力降下の場合に該当する信号を電子的な制御装置へ出力する。
【００１１】
従って本発明は、空調設備の漏れの場合に、電気的に駆動可能なバーストディスクが設備を所望に周囲へ向かって空にすることに基づいている。それによって室内へ流入する冷却剤の量が減少されて、健康を損なう作用が回避される。
【００１２】
本発明の第１の部分は、電気的に操作可能な作動部材に関する。その作動部材は、金属箔技術によって形成される、市場で一般的なバーストディスクである。定められた圧力に達した場合に、この箔が破砕して、冷却剤は逃げることができる。この種のバーストディスク上に、金属箔の大気側において、発熱ワイヤが取り付けられる。従って電気エネルギによる駆動を介して金属箔を所望に焼き切ることができる。本発明の第２の部分は、付属の安全コンセプトと駆動アルゴリズムに関する。
【００１３】
バーストディスクは、原則的に各構成部分に、すなわちたとえばガスクーラーに、あるいはレシーバに、あるいはコンプレッサに取り付けることができる。有意義なのは特に、コンプレッサに取り付けることである。というのは、その場合にはバーストディスクはさらに圧力制限の機能を一緒に引受けることができるからである。従来そのために使用されていた機械的なバーストディスクは、省かれる。それによって本発明は、安全の観点の他に、他の複雑な措置なしで、いわゆるローコストＣＯ２システムの提供も可能にする。
【００１４】
本出願と共に提出された特許請求の範囲は、広範な特許保護を得るための、偏見のない表現提案である。出願人は、これまで明細書および／または図面の中でだけ開示されている、さらに他の特徴の組合わせを権利請求することを、留保する。
【００１５】
従属請求項に使用されている帰属は、それぞれの従属請求項の特徴による主請求項の対象の形成を示唆している；それらは、関係づけられた従属請求項の特徴組合わせのための自立した、対象的な保護を得ることを放棄するものではない。
【００１６】
従属請求項の対象は、優先日の従来技術に関して独自かつ独立した発明を形成することができるので、出願人は、それらを独立した請求項または分割表明の対象にすることを、留保する。それらはさらに、先行する従属請求項の対象から独立した構成を有する、自立した発明も含むことができる。
【００１７】
実施例は、本発明の限定として理解されるべきではない。むしろ、この開示の枠内で無数の変更と修正が可能であって、特に、たとえば一般的な説明と実施形態および請求項に記載され、かつ図面に含まれている個々の特徴ないし部材あるいは処理ステップの組合わせまたは変形によって、課題の解決に関して当業者にとって理解することができ、あるいは組み合わせることのできる特徴によって新しい対象または、それらが形成方法、検査方法および作動方法に関する限りにおいて、新しい処理ステップないし処理ステップ列をもたらすような、変形例、部材および組合わせ並びに／あるいは材料が可能である。
【図面の簡単な説明】
【００１８】
【図１】本発明に基づくバーストディスク装置を示している。
【図２】安全制御装置を示している。
【符号の説明】
【００１９】
１  空調設備の導管部分
３  バーストディスク
５  発熱ワイヤ
７  大気領域
９  設備領域
１１  導線
１３  制御装置
１５、１７、１９、２１  信号
【図１】
2005530650.tif 000003
【図２】
2005530650.tif 000004
【国際調査報告】
2005530650.tif 000005
2005530650.tif 000006
2005530650.tif 000007
2005530650.tif 000008
2005530650.tif 000009
2005530650.tif 000010
2005530650.tif 000011
2005530650.tif 000012